(57)【要約】【課題】ボックスの扉が開いた際、鍵がキーホルダごとボックスから脱落することのない鍵保管ボックスを提供する。【解決手段】出入り口の鍵を収納保管する鍵保管ボックスであって、一側に開口部１０ａを備え、当該開口部に開閉自在な扉１１を有した箱型の筐体１０と、筐体から取り出し可能に収容され、鍵Ｋを保持するキーホルダ２０と、扉を開放すると共に、当該扉の開放と同時にキーホルダの一部を筐体の開口部から飛び出させるキーホルダ取り出し機構３０とを備え、筐体内壁の開口部近傍にキーホルダが筐体に対してキーホルダの脱落方向に傾いた状態で飛び出した場合にのみキーホルダに干渉してキーホルダの脱落を防止する突起部４１ａ，４２ａが形成されている。【選択図】　　　　図２
2004084224.tif 000002
【特許請求の範囲】
【請求項１】
出入り口の鍵を収納保管する鍵保管ボックスであって、
一側に開口部を備え、当該開口部に開閉自在な扉を有した箱型の筐体と、
前記筐体から取り出し可能に収容され、鍵を保持するキーホルダと、
前記扉を開放すると共に、当該扉の開放と同時に前記キーホルダの一部を前記筐体の開口部から飛び出させるキーホルダ取り出し機構とを備えた鍵保管ボックスにおいて、
前記筐体内壁の開口部近傍に前記キーホルダが前記筐体に対して前記キーホルダ脱落方向に傾斜した状態で飛び出した場合にのみ前記キーホルダに干渉して脱落を防止する突起部が形成されていることを特徴とする鍵保管ボックス。
【請求項２】
前記筐体の開口部近傍の外壁に前記扉開閉確認用スイッチが備わり、前記スイッチの取付け手段が前記筐体開口部近傍の内壁から突出して前記突起部を形成していることを特徴とする、請求項１に記載の鍵保管ボックス。
【請求項３】
前記スイッチの取り付け手段が２つのネジからなり、当該ネジが前記筐体開口部の中央に対して幅方向非対称に位置し、かつ前記筐体に収容されたキーホルダの筐体幅方向の偏倚にかかわらず前記干渉が前記キーホルダと何れかのネジとの間で生じることを特徴とする、請求項２に記載の鍵保管ボックス。
【発明の詳細な説明】
【０００１】
【発明が属する技術分野】
本発明は、テナントビルや集合住宅等において各テナント（各部屋）の鍵を保管する鍵保管ボックスに関する。
【０００２】
【従来の技術】
従来、テナントビルや集合住宅等においては、各部屋（各テナント）の鍵を保管するために鍵保管ボックスが設置されている。たとえば、特開平７−１８０４０３号公報に開示されているような鍵保管収納装置１００では、図７に例示的に示すように、各部屋（各テナント）の鍵を収納保管する鍵保管ボックス１０１をマトリックス状に配置し、カードリーダー１０２及びテンキー１０３によってデータを読み込むことにより登録されているカード所有者が認証されると、所定の鍵保管ボックス１０１の扉が開き、鍵を取り出しおよび収納するようになっている。
【０００３】
この鍵保管収納装置に配置された鍵保管ボックスの構造として、例えば実開平５−４９４２号公報に記載された構造があげられる。この構造の鍵保管ボックスは、鍵の取り出し時において鍵保管ボックスの扉が開くと、収納されている鍵の一部がキーホルダごと鍵保管ボックスの開口部から前方へ飛び出すようになっている。また、収納時は、キーホルダと鍵を鍵保管ボックスの開口部から半挿入し、扉を閉めると鍵がキーホルダごと鍵保管ボックスに押し込まれる仕組みになっている。
【０００４】
【発明が解決しようとする課題】
従来の鍵保管ボックスでは鍵のタイプには様々なものがある。すなわち、鍵のタイプによっては例えば鍵の頭部が大きいものなどがあり、鍵を取り出すとき、鍵保管ボックスの扉が開くと同時にキーホルダが扉から一部飛び出した際、扉が開いた反動と同時にキーホルダが勢い良く飛び出し、鍵の頭部にかかった重力によって鍵とキーホルダがそのまま鍵保管ボックスから滑り落ちてしまうことがある。
【０００５】
本発明の目的は、鍵の種類に係わらずボックスの扉が開いた際、鍵とキーホルダがボックスから脱落することのない鍵保管ボックスを提供することにある。
【０００６】
【課題を解決するための手段】
上述の課題を解決するために本発明にかかる鍵保管ボックスは、一側に開口部を備え、当該開口部に開閉自在な扉を有した箱型の筐体と、筐体から取り出し可能に収容され、鍵を保持するキーホルダと、扉を開放すると共に、この開放と同時にキーホルダの一部を筐体の開口部から飛び出させるキーホルダ取り出し機構とを備えた鍵保管ボックスにおいて、筐体内壁の開口部近傍にキーホルダが筐体に対してキーホルダの脱落方向に傾いた状態で飛び出した場合にのみキーホルダに干渉してキーホルダの脱落を防止する突起部が形成されている。
【０００７】
かかる突起部を設けることで鍵保管ボックスの扉を開放したとき、鍵の頭部が大きくこの部分に重力が作用し過ぎてキーホルダが鍵保管ボックスの筐体に対して斜めに飛び出しても、筐体内壁に設けた突起部がキーホルダに干渉して鍵がキーホルダごと脱落するのを防止する。一方、通常の鍵を取り出す際、キーホルダの扉を開放したとき、キーホルダが筐体に対して傾くことなく筐体開口部から一部飛び出す。従って、筐体の突起部がキーホルダに干渉せず、鍵とキーホルダの取り出しを円滑に行うことができる。
【０００８】
また、本発明の請求項２に記載の鍵保管ボックスは、請求項１に記載の鍵保管ボックスにおいて、筐体開口部近傍の外壁に扉開閉確認用スイッチが備わり、スイッチの取り付け手段が筐体開口部近傍の内壁から突出して突起部を形成している。
【０００９】
請求項１の作用に加えて、扉開閉確認用スイッチの取り付け手段の一部をキーホルダ脱落防止のための突起部として兼用することで、かかる突起部を筐体内壁に特別に形成する必要がなく、コスト面で優れる。
【００１０】
また、本発明の請求項３に記載の鍵保管ボックスは、請求項２に記載の鍵保管ボックスにおいて、スイッチの取り付け手段が２つのネジからなり、当該ネジが筐体開口部の中央に対して幅方向非対称に位置し、かつ筐体に収容されたキーホルダの筐体幅方向の偏倚にかかわらずキーホルダと何れかのネジとの間で干渉が生じるようになっている。
【００１１】
請求項１及び請求項２の作用に加えて、スイッチの取り付けに通常使用する２つのネジを用いてこれらの一部をキーホルダ脱落防止のための突起部として使用する。これによって、現在使用しているネジより若干長いネジを用いるだけでキーホルダ脱落防止のための突起部を簡単に形成することができる。また、ネジが筐体開口部の中央に対して幅方向非対称に位置しているので、キーホルダが筐体開口部の幅方向中央に位置していても幅方向のどちらか一方に偏倚していても、キーホルダが傾いた状態で飛び出した場合、何れか一方のネジがキーホルダに干渉してキーホルダの脱落を確実に防止する。
【００１２】
【発明の実施の形態】
以下、本発明の一実施形態に係る鍵保管ボックスを図面に基づいて詳細に説明する。
【００１３】
本発明の一実施形態に係る鍵保管ボックス１は、図１に示すように、樹脂でできた箱型の筐体１０と、当該筐体１０の一側開口部に開閉自在に備わった扉１１と、筐体１０から取り出し可能に筐体内部に収容されたキーホルダ２０と、扉１１を開放させると共にこの開放と同時にキーホルダ２０の一部を筐体１０から飛び出させる飛び出し機構３０（図３参照）と、キーホルダ２０が筐体１０に対して斜めに飛び出したとき、キーホルダ２０が脱落するのを防止する突起部４１ａ，４２ａ（図２、図４参照）を備えている。
【００１４】
筐体１０には開口部周囲に金属でできたフレーム１２が取付けられ、当該フレーム１２の近傍であって筐体１０の上部外壁には扉開閉検知用のタンパスイッチ（マイクロスイッチ）４０が取り付けられている。なお、タンパスイッチ４０はネジ４１，４２によって筐体１０に取り付けられ、ネジ４１，４２は共に端部が筐体１０を貫通して筐体内壁部において突起部４１ａ，４２ａを形成している。筐体内部には、樹脂でできておりキーホルダ２０を載置可能な側面視略Ｌ字型のステム１５（図２、図４参照）が筐体開口部から一部飛び出し可能な状態で取り付けられている。なお、ステム１５は筐体開口部側の端部が扉１１の一部と図示しないヒンジによって回動自在に連結しており、扉１１の開放と開口部１０ａからのステム１５の一部飛び出しが連動するようになっている。
【００１５】
一方、筐体１０の下側部分には、図３に示すように、飛び出し機構収容部３０ａが形成されている。そして、飛び出し機構収容部３０ａと図２及び図４に示す筐体のステム収容部１０ｂとは隔壁１３で隔てられ、この隔壁１３にはスリット１３ｓが筐体１０の長手方向に形成されている。なお、図２及び図４では飛び出し機構収容部３０ａの図示を省略している。
【００１６】
そして、スリット１３ｓから飛び出し機構収容部３０ａにステム１５の突起部１５ａが突出し、この突起部１５ａと筐体１０の開口部側が圧縮バネ３１で連結されている。これによって、ステム１５が筐体１０の開口部側に常に付勢されている。また、飛び出し機構収容部１０ｂには筐体１０の開口部側を支点３２ｘとしてレバー３２が回動可能に設けられ、当該レバー３２の長辺の端部３２ａは筐体開口部と反対側端部（筐体背面部１０ｃ）から突出している。レバー３２の長辺側には切り欠き３２ｂが形成され、前述したステム１５の一部がこの切り欠き３２ｂに係合し、圧縮バネ３１の付勢力に抗し、ステム１５が筐体１０の開口部側に移動するのを規制している。また、レバー３２の切り欠き３２ｂ近傍にはプーリ３３が取り付けられている。そして、筐体１０のレバー支点３２ｘ近傍には形状記憶合金３４の取付部３３ａ，３３ｂが設けられ、この取付部３３ａ，３３ｂを両端として形状記憶合金３４がレバー３２のプーリ３３に掛け渡されている。
【００１７】
一方、筐体背面部１０ｃ近傍の筐体内部にはキーホルダ２０の有無を検出する光学素子（図示せず）が備わっている。また、筐体背面部１０ｃからはリード線１６が導出されている。なお、このリード線１６は形状記憶合金３４への通電用とタンパスイッチ４０の検出信号用、及び光学素子の検出信号用として使用されている。
【００１８】
そして、図示しない鍵保管ユニットの制御機器から送られる制御信号により形状記憶合金３４が通電されると、形状記憶合金３４が収縮しこれに伴いレバー３２が支点３２ｘを中心として図３中時計方向にわずかに回転し、レバー３２の切り欠き３２ｂとステム１５の突起１５ａとの係合が解除するようになっている。そして、ステム１５が圧縮バネ３１の付勢力によって筐体１０の開口部１０ａ側に一気にスライドし、これと同時にステム１５の先端部と回動自在に連結した扉１１を開放し、ステム１５の一部を筐体の開口部１０ａから飛び出させるようになっている。
【００１９】
ステム１５に載置されたキーホルダ２０は樹脂でできており、図１、図２、及び図４に示すように、対向した側壁部２１と、側壁部２１の隣接する２辺に形成された底壁部２２及び端壁部２３とからなり、これに保持される鍵Ｋは端壁部２３と反対側の端部でリングＲ等によって連結されている。
【００２０】
筐体１０の扉開閉を確認するタンパスイッチ４０は、２つのネジ４１，４２によって当該筐体の上壁に固定されている。この２つのネジ４１，４２は上述の通り筐体１０の上壁１０ｄを貫通して一部筐体内壁に突出している。この突出量Ｐ（図２参照）は、キーホルダ２０がステム１５と平行に筐体１０の開口部１０ａから一部飛び出した場合、キーホルダ２０の端壁部２３と突起部４１ａ，４２ａが干渉することはないが（図４参照）、キーホルダ２０の先端部が下方に向かって傾斜して一部飛び出した場合、すなわちステム１５に対して若干傾いて筐体１０の開口部１０ａから一部飛び出した場合に、図５に示すようにキーホルダ２０の端壁部２３と干渉するような長さに寸法決めされている。
【００２１】
また、この２つのネジ４１，４２は、図６に示すように、筐体開口部１０ａの中央に対して幅方向に若干偏倚して（幅方向に非対称に）取り付けられている。これによって、キーホルダ２０が筐体開口部１０ａの幅方向中央に位置していた場合、キーホルダ２０がその先端を下方に向けた状態で飛び出しても、キーホルダ２０が２つのスイッチ取り付けネジ４１，４２のうち、一方のネジと干渉してキーホルダ２０から脱落しないようになっている。また、２つのネジ４１，４２はキーホルダ２０が筐体内で開口部の幅方向においていずれか一方に偏倚しても、キーホルダ２０が飛び出す際にキーホルダ２０の端壁部２３が何れか一方のネジと干渉する位置に取り付けられている。
【００２２】
すなわち、２つのネジ４１，４２の突出量は、鍵保管ボックス１の扉１１が開き、キーホルダ２０が前方へ傾いて飛び出したときのキーホルダ２０の脱落を防止するストッパ機構として作用する突出量であり、キーホルダ端壁部２３の寸法との関係で当該突出量が決定される。
【００２３】
また、この突起部は、既存のタンパスイッチ４０の取付ねじ貫通孔を利用して、従来の取付ネジより若干長めの取付ネジを使用することで容易に形成することができる。
【００２４】
以下、上述の実施形態にかかる鍵保管ボックス１の作用について説明する。
【００２５】
図２に示すように、鍵Ｋ及びキーホルダ２０を筐体内に収容した鍵保管ボックス１は、鍵Ｋの取り出しが必要なときに鍵保管ユニットのコントローラからの制御信号を受ける。この制御信号に基づいて形状記憶合金３４が通電され、これによって、図３に示す形状記憶合金３４が収縮し、その結果、レバー３２が回転してレバー３２とステム１５との係合が解除され、ステム１５が圧縮バネ３１の付勢力で一気に筐体開口部１０ａ側に移動する。
【００２６】
そして、図１に示すように筐体開口部１０ａの扉１１を押し開けながらステム１５の一部が筐体開口部１０ａから飛び出す。
【００２７】
これに伴い、キーホルダ２０の一部がステム１５とともに筐体開口部１０ａから飛び出す。ここで通常、キーホルダ２０は、図４に示すように、ステム１５上に載置された状態で飛び出す。従って、キーホルダ２０は筐体１０の長手方向軸線に対して傾いていない。この場合、筐体開口部１０ａ近傍内壁に設けられたタンパスイッチ取付ネジ４１，４２の突起部４１ａ，４２ａとキーホルダ２０の端壁部２３上縁とは干渉しない。そのため、キーホルダ２０の飛び出した部分をつかんでそのままステム１５と平行に引き出すことで、突起部４１ａ，４２ａと干渉させることなくキーホルダ２０を鍵とともに鍵保管ボックス１から取り出すことができる。
【００２８】
一方、例えば頭部の大きい鍵Ｋ’などをキーホルダ２０に保持させた場合、図５に示すように、キーホルダ２０がステム１５とともに筐体開口部１０ａから飛び出した際、キーホルダ２０に保持されている鍵Ｋ’の頭部に重力が作用してキーホルダ２０の飛び出し部が下方に傾いた状態、すなわち筐体１０の長手方向軸線に対して下方に傾いた状態でキーホルダ２０が筐体開口部１０ａから一部飛び出す。
【００２９】
従来の鍵保管ボックスの場合、このような状態になると、キーホルダの飛び出す勢いと鍵の頭部にかかる重力との相乗作用によってキーホルダは斜めになった状態のまま鍵保管ボックス開口部から一気に脱落してしまったが、本実施形態にかかる鍵保管ボックス１の場合、キーホルダ２０が傾いた状態で筐体開口部１０ａから一部飛び出したとき、キーホルダ２０の端壁部２３が筐体内壁から突出した突起部４１ａ，４２ａに引っ掛かり（干渉し）、キーホルダ２０が脱落するのを阻止する。
【００３０】
そして、この状態において、鍵Ｋ’の使用者は、キーホルダ２０の向きを正規の向き、すなわち筐体１０のステム１５と平行な方向（水平方向）に修正しながら鍵Ｋ’を引き出すことで、キーホルダ２０と突起部４１ａ，４２ａとの引っかかりがなくなり、キーホルダ２０及びこれに保持された鍵Ｋ’を鍵保管ボックス１から無理せず取り出すことができる。
【００３１】
なお、キーホルダ２０は筐体内部で筐体１０の幅方向に若干移動可能に収容されており、筐体開口部１０ａから飛び出す際も筐体１０の幅方向に関して若干偏倚して飛び出す場合がある。一方、筐体１０に取り付けられたタンパスイッチ取付ネジ４１，４２は２本からなり、かつ筐体開口部１０ａの中心に対して非対称に取り付けられているので、突起部４１ａ，４２ａも当然に筐体開口部１０ａの中心軸線に対して非対称に形成されている。従って、キーホルダ２０が幅方向にいかに偏倚しても上述のように先端が下向きに傾斜して飛び出したときは必ず２本のネジ４１，４２の何れかに干渉する。従って、キーホルダ２０が筐体１０内に幅方向の中央に合致して収容されていようと、幅方向に偏倚して収容されていようと、筐体１０からのキーホルダ２０の脱落を効果的に防止することができる。また、通常キーホルダ２０は筐体１０内において偏倚せずに収容されているので、仮に突起部４１ａ，４２ａのスパンがキーホルダ２０の幅より広くなっていても、キーホルダ２０は筐体１０の幅方向中央寄りに形成された突起部４２ａに干渉してネジ間を通過することなく、その脱落を阻止することができる。
【００３２】
以上説明したように、本発明にかかる鍵保管ボックス１はキーホルダ２０の先端部が下方に傾いた状態で飛び出してもこれが脱落しないようになっているので、様々な種類や大きさの鍵をキーホルダ２０に保持させてこれを保管することができる。
【００３３】
なお、本実施形態では、タンパスイッチ取付ネジ４１，４２を筐体内壁から突出させてこれをキーホルダ２０の脱落防止用ストッパとして利用したが、かかる突起部はキーホルダの脱落防止用ストッパ機能を果すものであれば十分であり、このネジには限定されずキーホルダ入り口付近に単なる突起を形成しても良い。従って、単一の幅広突起部を筐体内壁の開口部近傍に筐体内壁と一体に形成しても良い。しかしながら、上述の実施形態の場合、タンパスイッチ取付ネジの長さを長くするだけでタンパスイッチ取付ネジにストッパ機能を兼ねさせることができ、鍵保管ボックスの型変更や部品追加等を行うことなく安価にストッパ機能を追加できるというメリットを有している。
【００３４】
【発明の効果】
以上説明したように、本発明に係る鍵保管ボックスは、鍵脱落防止のための突起部を設けることで、鍵保管ボックスの扉が開放したとき、鍵の頭部が大きくこの部分に重力が作用し過ぎてキーホルダが鍵保管ボックスの筐体に対して斜めに飛び出しても、筐体内壁に設けた突起部がキーホルダに干渉して鍵がキーホルダごと脱落するのを防止する。一方、通常の鍵を取り出す際、キーホルダの扉を開放したとき、キーホルダが筐体に対して傾くことなく筐体開口部から一部飛び出す。従って、突起部がキーホルダに干渉せず、鍵とキーホルダの取り出しを円滑に行うことができる。
【００３５】
また、本発明の請求項２に記載の鍵保管ボックスは、請求項１の効果に加えて、扉開閉確認用スイッチの取り付け手段の一部をキーホルダ脱落防止のための突起部として兼用することで、かかる突起部を筐体内壁に特別に形成する必要がなく、コスト面で優れる。
【００３６】
また、本発明の請求項３に記載の鍵保管ボックスは、請求項１及び請求項２の効果に加えて、スイッチの取り付けに通常使用する２つのネジを用いてこれらの一部をキーホルダ脱落防止のための突起部として使用する。これによって、現在使用しているネジより若干長いネジを用いるだけでキーホルダ脱落防止のための突起部を簡単に形成することができる。また、ネジが筐体開口部の中央に対して幅方向非対称に位置しているので、キーホルダが筐体開口部の幅方向中央に位置していても幅方向のどちらか一方に偏倚していても、キーホルダが傾いた状態で飛び出した場合、何れか一方のネジがキーホルダに干渉してキーホルダの脱落を確実に防止することができる。
【図面の簡単な説明】
【図１】本発明の一実施形態に係る鍵保管ボックスの斜視図である。
【図２】図１の鍵保管ボックスに鍵が保管された状態を示す側方断面図である。
【図３】図１の鍵保管ボックスの飛び出し機構を示す底面図である。
【図４】図１の鍵保管ボックスから通常の鍵及びキーホルダが飛び出した状態を示す側方断面図である。
【図５】図１の鍵保管ボックスから頭部の大きな鍵及びキーホルダが飛び出した状態を示す側方断面図である。
【図６】図１の鍵保管ボックスにおいて、キーホルダが飛び出した状態を示す平面図である。
【図７】従来の鍵保管ボックス及び図１の鍵保管ボックスが複数備わった鍵保管ユニットの正面図である。
【符号の説明】
１　　鍵保管ボックス
１０　　筐体
１０ａ　　開口部
１０ｂ　　ステム収容部
１０ｃ　　筐体背面部
１０ｄ　　上壁部
１１　　扉
１２　　フレーム
１３　　隔壁
１３ｓ　　スリット
１５　　ステム
１５ａ　　突起部
１６　　リード線
２０　　キーホルダ
２１　　側壁部
２２　　底壁部
２３　　端壁部
３０　　飛び出し機構
３０ａ　　飛び出し機構収容部
３１　　圧縮バネ
３２　　レバー
３２ａ　　端部
３２ｂ　　切り欠き
３２ｘ　　支点
３３　　プーリ
３３ａ，３３ｂ　　取付部
３４　　形状記憶合金
４０　　タンパスイッチ
４１，４２　　タンパスイッチ取付ネジ
４１ａ，４２ａ　　突起部
Ｋ，Ｋ’　　鍵
Ｒ　　リング
【図１】
2004084224.tif 000003
【図２】
2004084224.tif 000004
【図３】
2004084224.tif 000005
【図４】
2004084224.tif 000006
【図５】
2004084224.tif 000007
【図６】
2004084224.tif 000008
【図７】
2004084224.tif 000009